(57)【要約】  【課題】市販品を使用してねじ込み式アンカーを簡単に固定できるようにする。  【手段】アンカー５は、コンクリート６にねじ込まれる第１ねじ部８と、コンクリート６から露出する第２ねじ部９とを備えている。アンカー５をねじ込む補助具１は、六角の高ナット２とこれに一方向からねじ込まれる六角ボルト３とから成っており、高ナット２をアンカー５の第２ねじ部９にねじ込んでソケットビット４で回転させることにより、アンカー５をコンクリート６にねじ込み固定する。高ナット２はアンカー５のねじ無し部１０に食い込んでいないため、補助具１の取外しに際してアンカー５が連れ回転することはない。【選択図】      図１
2007030120.tif 000002
【特許請求の範囲】
【請求項１】
石質基材にねじ込まれる第１ねじ部と石質基材の外側に露出する第２ねじ部とを備えているねじ込み式アンカーを石質基材に固定するためのねじ込み補助具であって、
前記アンカーの第２ねじ部にねじ込まれる高ナットと、高ナットにアンカーの第２ねじ部と反対側からねじ込まれた頭付きボルトとを備えており、高ナットを第２ねじ部にねじ込み切る前にボルトの先端がアンカーの端面に当たるように設定している、
ねじ込み式アンカーのねじ込み補助具。
【請求項２】
石質基材にねじ込まれる第１ねじ部と石質基材の外側に露出する第２ねじ部とを備えているねじ込み式アンカーを基材に固定する施工方法であって、
一端部から頭付きボルトがねじ込まれた高ナットをアンカーの第２ねじ部にねじ込んでおく工程と、前記頭付きボルトを動力ドライバのソケットビットで回転させることによってアンカーを石質基材の下穴にねじ込み工程と、アンカーを石質基材にねじ込み切ってから高ナットをねじ戻す工程とを含んでおり、前記ねじ込み工程において、頭付きボルトの先端がアンカーの端面に当たるように設定している、
ねじ込み式アンカーを石質基材に固定する施工方法。
【発明の詳細な説明】
【技術分野】
【０００１】
本願発明は、ねじ込み式アンカーのねじ込み補助具、及びねじ込み式アンカーをコンクリート等の石質基材に固定する施工方法に関するものである。
【背景技術】
【０００２】
例えばコンクリート構造物に各種の部材を固定する場合に、ねじ込み式のアンカーが使用されている。このねじ込み式アンカーは、コンクリートにねじ込まれる第１ねじ部と、コンクリートから露出した第２ねじ部とを備えており、第２ねじ部にねじ込んだナットでワークをコンクリートの表面（床面、壁面、天井面など）に固定するようになっている。
【０００３】
そして、本願発明者は、ねじ込み式アンカーの改良発明として、特許文献１において、第１ねじ部と第２ねじ部との間に細幅のねじ無し部を形成すると共に、第２ねじ部のうちねじ無し部と反対側の端部に、第２ねじ部へのナットのねじ込みを阻害しない状態でドライバビットが相対回転不能に嵌まる係合部（駆動部）を一体に設けてなる構造を提案した。
【特許文献１】特開２００４−１９３７０号公報
【発明の開示】
【発明が解決しようとする課題】
【０００４】
特許文献１の構成によると、アンカーは専用のドライバビットによってコンクリートにねじ込み固定され、また、ワークを固定するためのナットの回転には別のドライバビットやレンチ類が使用されるが、アンカーをコンクリートにねじ込み固定するための専用のドライバビットを作業者が忘れたり紛失したりすることがあった。また、場合によっては、アンカーのねじ込みとワークの固定とを１種類のドライバビットで行いたいと希望する場合もあった。
【０００５】
更に、例えば特開２０００−１６０６９９号に記載されているように第２ねじ部に専用の係合部（駆動部）を備えていないタイプのアンカーがあり、この場合は、第２ねじ部にナット状のドライバビットをねじ込むことによってアンカーをコンクリートにねじ込んでいるが、ドライバビットがアンカーに食い込むことにより、ナット状のドライバビットをねじ戻すとアンカーも連れ回転してコンクリートから抜け出る不具合があることから、専用の係合部を備えていないタイプのアンカーであっても簡易かつ確実にねじ込みできる方法が要請されていた。
【０００６】
本願発明は、このような現状を改善することを課題とするものである。
【課題を解決するための手段】
【０００７】
本願発明はねじ込み補助具と施工方法とを含んでいる。請求項１の発明は、石質基材にねじ込まれる第１ねじ部と石質基材の外側に露出する第２ねじ部とを備えているねじ込み式アンカーを石質基材に固定するためのねじ込み補助具に係るもので、補助具は、前記アンカーの第２ねじ部にねじ込まれる高ナットと、高ナットにアンカーの第２ねじ部と反対側からねじ込まれた頭付きボルトとを備えており、高ナットを第２ねじ部にねじ込み切る前にボルトの先端がアンカーの端面に当たるように設定している。
【０００８】
他方、請求項２の発明は、石質基材にねじ込まれる第１ねじ部と石質基材の外側に露出する第２ねじ部とを備えているねじ込み式アンカーを基材に固定する施工方法に係るもので、この工法は、一端部から頭付きボルトがねじ込まれた高ナットをアンカーの第２ねじ部にねじ込んでおく工程と、前記頭付きボルトを動力ドライバのソケットビットで回転させることによってアンカーを石質基材の下穴にねじ込み工程と、アンカーを石質基材にねじ込み切ってから高ナットをねじ戻す工程とを含んでおり、前記ねじ込み工程において、頭付きボルトの先端がアンカーの端面に当たるように設定している。
【発明の効果】
【０００９】
アンカーを基材にねじ込む工程において高ナットの雌ねじとアンカーの第２ねじ部との間に摩擦が生じており、従って、仮に高ナットのみを使用してアンカーを基材にねじ込むと、高ナットがアンカーに食い込んで、高ナットを逆回転させるとアンカーも連れ回転する現象が生じるが、本願発明では、高ナットはアンカーの第２ねじ部にねじ込み切らずに頭付きボルトの先端面がアンカーの端面に当たっているため、高ナットがアンカーの第２ねじ部に食い込む現象を生じさせることなく高ナットをアンカーから取外すことができる。
【００１０】
そして、市販されている高ナットとボルトとを使用して現場で簡単に補助具と成すことができるため、専用のドライバビットを忘れたり紛失したりした場合でもアンカーの取付け作業を行うことが可能になる。また、前記した特開２０００−１６０６９９号公報のように専用の係合部を備えていないアンカーや、特開平１０−１０３３２３号公報に記載されているように係合部を第２ねじ部と第１ねじ部との間に形成しているアンカーもねじ込むことができ、このため、使用できるアンカーの範囲が著しく広がって使い勝手が良い。
【００１１】
更に、一般に高ナットとボルトの頭とはワークを固定するナットと同じ大きさであるため、一々ドライバビットを動力ドライバに付け替えずにアンカーのねじ込みとワークの固定とを１種類のドライバビットで行うことも可能になり、このため、一々ドライバビットを付け替える手間を無くして作業性を向上できる。
【発明を実施するための最良の形態】
【００１２】
次に、本願発明の実施形態を図面に基づいて説明する。
【００１３】
図１（Ａ）は本願発明の補助具及び施工方法を示す分離図で、本願発明の補助具１は六角の高ナット（高ナット）２とこれにねじ込まれる六角ボルト３とから成っており、六角ボルト３及び高ナット２は動力ドライバ（図示せず）に取り付くソケットビット４で回転駆動される。高ナット２及び六角ボルト３は市販のものであり、ねじ山はメートルねじになっている。
【００１４】
他方、アンカー５は、コンクリート６に開けられた下穴７にねじ込まれる第１ねじ部８と、コンクリート６の外側に露出する第２ねじ部９と、両者を区分する細幅のねじ無し部１０とを備えており、第２ねじ部９の端面には専用ビット（図示せず）が嵌まる係合部１１を形成している。第１ねじ部８の先端はフラットに形成されているが、尖り先にしても良い。
【００１５】
アンカー５の第１ねじ部８には、高さが高い主ねじ山１２と高さの低い副ねじ山１３との２条のねじ山が形成されており、両ねじ山１２，１３はピッチが外径の半分程度の大きなリード角になっている。他方、アンカー５における第２ねじ部９のねじ山はメートルねじになっており、この第２ねじ部９に高ナット２がねじ込まれる。
【００１６】
高ナット２及びボルト３とアンカー５との寸法の関係は、高ナット２の長さをＬ１、六角ボルト３の軸部の長さをＬ２、アンカー５における第２ねじ部９と係合部１１との長さを足した長さをＬ３とすると、Ｌ３＞（Ｌ１−Ｌ２）の関係に設定している。
【００１７】
図１（Ｂ）はアンカー５の平面図であり、この図に示すように、アンカー５の係合部１１は、円周方向に沿って等間隔で６本の係合溝１１ａが形成されている。いうまでもないが、係合部１１の外径（正確には外接円の直径）は第２ねじ部９の谷径よりも小径になっている。
【００１８】
図２ではコンクリート６にアンカー５を介してワーク１４を固定する施工方法を示しており、施工においては、まず、前工程として六角ボルト３を高ナット２にねじ込んで補助具１と成しておく。そして、図２（Ａ）に示すように、補助具１をアンカー５に取り付ける（取付け工程）。
【００１９】
次いで、ソケットビット４を六角ボルト３の頭を嵌め入れて正転させることにより、アンカー５の第１ねじ部８をコンクリート６の下穴７にねじ込む（ねじ込み工程）。このねじ込み工程において、六角ボルト３の先端がアンカー５の係合部１１に当たっているため、六角ボルト３の回転によってアンカー５はコンクリート６の下穴７にねじ込まれる。そして、ねじ無し部１０がコンクリート６の下穴７に食い込むことにより、アンカー５はコンクリート６にしっかりと固定される。なお、六角ボルト３の頭と高ナット２との姿勢が揃っている場合は、ソケットビット４は高ナット２の端部にも嵌まり得る。
【００２０】
アンカー５をねじ込み切ったら、ソケットビット４を逆転させて補助具１をアンカー５から取外す（取外し工程）。この場合、六角ボルト３が先に高ナット２から抜け出て、次いで高ナット２をアンカー５から取り外す場合と、補助具１の全体が一体のままでアンカー５から取り外される場合とがあるが、高ナット２はねじ無し部１０に食い込んではいないので、アンカー５の連れ回転現象を生じることはない（スパナで高ナット２を回転不能に保持して六角ボルト３を取外し、次いで高ナット２をアンカー５から取外すという方法を採用することも可能である）。
【００２１】
補助具１をアンカー５から取外したら、ワーク１４をアンカー５の第２ねじ部９に嵌め入れて、第２ねじ部９に通常（一般には標準高さ）のナット１５をねじ込むことにより、ワークＷをコンクリート６に固定する。ナット１５のねじ込みはアンカー５の固定に使用したソケットビット４を使用して行われる（勿論、他のスパナ（レンチ）で行うことも可能である）。
【００２２】
図３では、第２ねじ部９の端面に係合部を備えていないタイプのアンカー５への適用例を示している。高ナット２がねじ無し部１０に食い込むことを防止するには、高ナット２の長さと六角ボルト３の長さとの組み合わせを変えたり、図３（Ｂ）に示すように、六角ボルト３の頭と高ナット２との間に座金１６を介在させたりしたら良い。
【００２３】
本願発明は上記の実施形態の他にも具体化できる。例えば、高ナットは市販品を使用することには限らず、専用品として製造することも可能である。また、本願発明の補助具及び工法を適用できるアンカーの形態には限定はなく、更に、アンカーがねじ込まれる基材はコンクリートには限らず、煉瓦や自然石等の各種の石質材が含まれる。更に、軽量気泡コンクリートにねじ込む場合は下穴を必要としない場合もある。
【図面の簡単な説明】
【００２４】
【図１】本願発明の実施形態を示す分離正面図である。
【図２】施工方法を示す図である。
【図３】他の使用例を示す図である。
【符号の説明】
【００２５】
１  補助具
２  高ナット
３  六角ボルト
４  ソケットビット
５  アンカー
８  アンカーの第１ねじ部
９  アンカーの第２ねじ部
１０  ねじ無し部
１１  係合部
１４  ワーク
１５  ワーク固定用ナット
【図１】
2007030120.tif 000003
【図２】
2007030120.tif 000004
【図３】
2007030120.tif 000005